(57)【要約】  従来、腹部等のマッサージを受ける身体部位に巻き付けて密着固定させるベルトボディに設けられた、モータの両側に偏心錘が設置された振動部で発生する回転速度が同一の振動で、特定の身体部位を按摩するときの回転動作が、単に正方向又は逆方向の単純軌跡を繰り返して描くことから、単調な使用感と単純なマッサージ効果のみしか得られない。  本発明では、ベルトボディ１１に一定の間隔をおいて両側に設置された振動発生部１２で発生する楕円振動で、当該身体部位をマッサージするとき、回転速度及び／又は楕円振動の強さを異ならせて同時に作動しながら、それぞれ発生させた振動が互いに組み合わせられながら多様に変化する連続回転動作が当該身体部位に加えられるので、多様なマッサージ効果及び使用価値を最大限を引き出すことができる。
2007529290.tif 000002
【特許請求の範囲】
【請求項１】
腹部等のマッサージを受ける身体部位に巻き付けて密着固定させるベルトボディと、
前記ベルトボディに一定の間隔をおいて両側に設置され、楕円振動を発生させてその振動を当該身体部位に付与するものであって、ハウジングと、前記ハウジング内の一方に設けられた回転駆動手段と、前記ハウジング内の他方に設けられ、前記回転駆動手段の回転駆動量を受けて偏心回転力を発生させる偏心回転力発生手段と、前記回転駆動手段と前記偏心回転力発生手段を連結して、前記回転駆動手段の回転駆動力を前記偏心回転力発生手段に伝達する回転駆動力伝達手段とを含む複数の振動発生部とを備え、
前記振動発生部は、回転速度及び／又は楕円振動の強さを異ならせて振動を発生させ、前記振動発生部で発生する振動の組み合わせにより多様に変化する連続回転動作が当該身体部位に加えられことにより、多様なマッサージ効果及び使用価値を最大限に引き出すことを特徴とするマッサージベルト。
【請求項２】
前記各振動発生部の重量を４３０〜７３０ｇとするとともに、全体の重量を１３００〜１８００ｇとしたことを特徴とする請求項１に記載のマッサージベルト。
【請求項３】
前記偏心回転力発生手段は、前記ハウジング内の他方の上下部に上下両端がそれぞれ回転可能に組み込まれた連結軸と、前記連結軸の回転を円滑にする連結軸ボールベアリングと、前記連結軸ボールベアリングの周囲を取り囲んで、前記連結軸の回転時に発生する騒音を減少させる連結軸騒音防止用ゴムと、前記連結軸上に結合され、偏心回転力を発生する偏心錘と、前記偏心錘に嵌合された偏心錘プーリーとを含むことを特徴とする請求項１に記載のマッサージベルト。
【請求項４】
前記ベルトボディ内に設けられた発熱部をさらに備えることを特徴とする請求項１に記載のマッサージベルト。
【請求項５】
前記振動発生部で発生する楕円振動の組み合わせにより多様に変化する回転動作を視覚的に表示するために、前記ベルトボディの上端部に設けられたベルト動作表示部をさらに備えることを特徴とする請求項１に記載のマッサージベルト。
【発明の詳細な説明】
【技術分野】
【０００１】
本発明は、マッサージベルトに関し、より詳しくは、腹部、腰又は大腿部等、特定の身体部位に巻き付けて密着固定させるベルトボディ内に振動発生部を設置して、前記振動発生部で発生した偏心回転力による振動でマッサージ機能を行わせるマッサージベルトに関する。
【背景技術】
【０００２】
一般に、マッサージ動作を行うベルトとしては、単純に振動する機能を有するベルトと、密着面にバイブレーターを設けた叩き機能を有するベルトが用いられている。このような従来のベルトは、ベルトが密着する腹部等の身体部位に対して振動又は叩き動作を行う一つの機能のみを行うため、ユーザにとっては単純なマッサージ機能しか感じられないものとなっている。
【０００３】
したがって、これを補完するために、特許文献１には、腹部、腰等を巻き付けられるベルトに、振動機能と叩き機能を同時に行う振動部を設け、この振動部をモータとタイミングベルトで連結された振動体で構成することにより、マッサージ動作時、マッサージ効果とともにダイエット効果が得られる電動式按摩ベルトが提案されている。
【０００４】
このような電動式按摩ベルト１００は、図１に示すように、腹部等に巻き付けて密着固定できるように、マジックテープ（登録商標）のような締付手段を両端に具備するベルトボディ１３０と、前記ベルトボディ１３０の中央に内蔵され、電源印加時に発生する偏心回転力による振動で密着部位をマッサージする振動部２００と、外部電源を受けて、前記振動部２００に駆動電源を供給する電源供給部４００と、前記ベルトボディ１３０の側部の適所に設けられ、前記電源供給部４００から印加される電源供給を制御して、前記振動部２００のオン／オフや振動の強度を制御するキー操作部１１０と、前記ベルトボディ１３０と分離されて、前記振動部２００と有線接続され、前記電源供給部４００から印加される電源供給を制御して、前記振動部２００のオン／オフや振動の強度、熱線の温度を制御するコントローラ３００と、前記振動部２００の両側に位置し、前記電源供給部４００からの電源供給時に熱を発生し、マッサージしようとする身体部位との密着面の内側に遠赤外線を発生させるバイオセラミックと熱線を含むヒータ１２０とで構成されている。
【０００５】
この種の従来の電動式按摩ベルト１００は、図２及び図３に示すように、振動を発生する前記振動部２００が、一つの駆動モータ２２０により、タイミングベルト２９０を通じて二つの偏心回転体２８０を同時に一体回転させるようになっている。
【０００６】
したがって、前記二つの偏心回転体２８０は、前記一つの駆動モータ２２０により回転駆動されて、同一の回転速度を維持する。図４及び図５に、前記按摩ベルト１００を身体部位に巻き付けた状態で、振動部２００が正方向又は逆方向の連続回転動作軌跡を描くように作動する過程を示す。この場合、図４及び図５から分かるように、当該身体部位をマッサージするときに発生する回転動作が、単に正方向又は逆方向の単純軌跡を繰り返して描くだけとなり、単調な使用感と単純なマッサージ効果のみが得られる。
【０００７】
【特許文献１】韓国実用新案登録第０３４５２５１号公報
【発明の開示】
【発明が解決しようとする課題】
【０００８】
本発明は上記の点に鑑みなされたものであり、腹部、腰等の特定の身体部位に巻き付けて密着固定させるベルトに一定の間隔をおいて両側に設定されたマッサージ機能を行う振動発生部が、回転速度及び楕円振動の強さを異ならせて同時に作動し、振動の組み合わせにより多様に変化する連続回転動作を当該身体部位に加えることで、多様なマッサージ効果及び使用価値を最大限に引き出すことのできるマッサージベルトを提供することを目的とする。
【課題を解決するための手段】
【０００９】
本発明によるマッサージベルトは、腹部等のマッサージを受ける身体部位に巻き付けて密着固定させるベルトボディと、前記ベルトボディに一定の間隔をおいて両側に設置され、楕円振動を発生させてその振動を当該身体部位に付与するものであって、ハウジングと、前記ハウジング内の一方に設けられた回転駆動手段と、前記ハウジング内の他方に設けられ、前記回転駆動手段の回転駆動量を受けて偏心回転力を発生させる偏心回転力発生手段と、前記回転駆動手段と前記偏心回転力発生手段を連結して、前記回転駆動手段の回転駆動力を前記偏心回転力発生手段に伝達する回転駆動力伝達手段とを含む複数の振動発生部とを備え、前記振動発生部は、回転速度及び／又は楕円振動の強さを異ならせて振動を発生させ、前記振動発生部で発生する振動の組み合わせにより多様に変化する連続回転動作が当該身体部位に加えられことにより、多様なマッサージ効果及び使用価値を最大限に引き出す点に特徴を有する。
また、前記各振動発生部の重量を４３０〜７３０ｇとするとともに、全体の重量を１３００〜１８００ｇとされることが好ましい。
また、前記偏心回転力発生手段は、前記ハウジング内の他方の上下部に上下両端がそれぞれ回転可能に組み込まれた連結軸と、前記連結軸の回転を円滑にする連結軸ボールベアリングと、前記連結軸ボールベアリングの周囲を取り囲んで、前記連結軸の回転時に発生する騒音を減少させる連結軸騒音防止用ゴムと、前記連結軸上に結合され、偏心回転力を発生する偏心錘と、前記偏心錘に嵌合された偏心錘プーリーとを含むことが好ましい。
また、前記ベルトボディ内に設けられた発熱部をさらに備えることが好ましい。
また、前記振動発生部で発生する楕円振動の組み合わせにより多様に変化する回転動作を視覚的に表示するために、前記ベルトボディの上端部に設けられたベルト動作表示部をさらに備えることが好ましい。
【発明の効果】
【００１０】
本発明のマッサージベルトによれば、腹部、腰等の身体部位に巻き付けて密着固定させるベルトボディに一定の間隔をおいて両側に設置され、マッサージ機能を行う複数の振動発生部が、回転速度及び／又は楕円振動の強さを異ならせて同時に作動することにより、それぞれ振動発生部で異なって発生する楕円振動が互いに組み合わせられて、その時毎に一致と不一致を繰り返しながら多様に変化し、当該身体部位に連続した動きで加えられて、多様なマッサージ効果及び使用価値を最大限に引き出すことができる。
【発明を実施するための最良の形態】
【００１１】
本発明の実施の形態によるマッサージベルト１０は、図６及び図７に示すように、腹部や腰等のマッサージを受ける身体部位に巻き付けて密着固定させるベルトボディ１１と、前記ベルトボディ１１の前面に一定の間隔をおいて設置され、所望の身体部位に対して楕円振動を付与する振動発生部１２と、前記振動発生部１２間に設けられる発熱部１３と、前記振動発生部１２と前記発熱部１３に電源を供給する電源供給部１４と、前記ベルトボディ１１と分離された状態で有線接続され、前記電源供給部１４から印加される電源供給を制御して、前記振動発生部１２のオン／オフや振動の強度と、前記発熱部１３の発熱温度を制御するコントローラ１５と、前記ベルトボディ１１の上端部に設けられ、前記振動発生部１２で発生する楕円振動によるベルト全体の動きを視覚的に確認可能とさせるベルト動作表示部１６とを備える。
【００１２】
前記ベルトボディ１１は、所定の面積を有し、腹部等に巻き付け可能な形状とされている。ベルトボディ１１には、締付手段、例えば身体部位への巻き付けが容易となるようにベルクロテープ１１１が両端に設けられている。また、前記ベルトボディ１１は、マッサージを受けようとする身体部位に密着可能となるように弾性部材により構成されてもよい。
【００１３】
さらに、前記ベルトボディ１１内には、マッサージ機能を円滑に行う振動を発生させる前記振動発生部１２をより安定に固定させるため、前記ボディベルト１１と同一の材質又は適切な強度を有する材質からなる振動発生部収容ポケット部１１２が設けられている。
【００１４】
前記各振動発生部１２は、図８乃至図１０に示すように、ハウジング１２４と、前記ハウジング１２４内の一方に設けられた回転駆動手段１２１と、前記ハウジング１２４内の他方に設けられ、前記回転駆動手段１２１の回転駆動力を受けて偏心回転力を発生させる偏心回転力発生手段１２２と、前記回転駆動手段１２１と前記偏心回転力発生手段１２２とを連結して、前記回転駆動手段１２１の回転駆動力を偏心回転力発生手段１２２に伝達する回転駆動力伝達手段１２３とを備える。
【００１５】
本発明の実施の形態において、前記各振動発生部１２は、約４３０〜７３０ｇの重量を有し、成人の腹部等の身体部位に一定以上の刺激を加えて、最適なマッサージ感と効果が得られるようにしている。ここで、本発明の実施の形態におけるマッサージベルト１００は、前記振動発生部１２の重量を含めて全体として約１３００〜１８００ｇの重量を有し、一般的な成人がマッサージベルトを着用してマッサージを楽しむ場合に、最適なマッサージ感と効果が得られるようにしている。
【００１６】
このために、相互に平行に配置された前記各振動発生部１２内に、前記回転駆動手段１２１と前記偏心回転力発生手段１２２が側方に設けられることにより、小さな体積でも大きな力を発生させることができる。この場合、前記振動発生部１２は、楕円振動を発生させる。
【００１７】
前記回転駆動手段１２１は、前記ハウジング１２４内の一方に配置され、回転駆動力を発生するモータ１２１１と、前記モータ１２１１の軸上に回転可能に設けられ、駆動回転力を前記偏心回転力発生手段１２２に伝達するモータプーリー１２１３とを含む。
【００１８】
また、前記モータ１２１１の一側面には、モータ１２１１の連続回転による過熱時に自動に電源供給を遮断する温度スイッチ１２１２が設けられ、前記モータ１２１１の過熱による損傷とこれによるユーザの危険を防止する。
【００１９】
前記偏心回転力発生手段１２２は、前記ハウジング１２４内の他方の上下部に、上下両端がそれぞれ回転可能に組み込まれた連結軸１２２１と、前記連結軸１２２１の回転を円滑にする連結軸ボールベアリング１２２２と、前記連結軸ボールベアリング１２２２の周囲を取り囲んで、前記連結軸１２２１の回転時に発生する騒音を減少させる連結軸騒音防止用ゴム１２２３と、前記連結軸１２２１上に結合され、偏心回転力を発生する偏心錘１２２４と、前記偏心錘１２２４に嵌合された偏心錘プーリー１２２５とを含む。
【００２０】
前記連結軸ボールベアリング１２２２及び連結軸騒音防止用ゴム１２２３は、従来、連結軸の回転を円滑に行うために設置されたオイルレスベアリングが、偏心回転体の遠心力荷重による磨耗したり、継続的な使用による騒音が発生したりする問題点を解決する。例えば、前記連結軸ボールベアリング１２２２の周囲は「硬度９０」のゴム材で取り囲まれ、騒音を防止し、加えられる偏心重量遠心力に対して緩衝作用を果たす。
【００２１】
前記偏心錘１２２４は、断面が半円又は扇子形状である筒形のものであり、その直立面が前記連結軸１２２１上に一体に結合されている。
【００２２】
例えばタイミングベルトのような前記回転駆動力伝達手段１２３は、前記モータプーリー１２１３と偏心錘プーリー１２２５を連結し、前記モータ１２１１の回転駆動力を次段の偏心錘１２２４に伝達する。
【００２３】
前記回転駆動手段１２１の作動、特にモータ１２１１の作動による温度上昇を防止するために、前記ハウジング１２４には、前記回転駆動手段１２１の設置位置の周囲に複数の通風孔１２４１が形成されている。
【００２４】
従来のマッサージベルト１００、すなわち振動を発生する前記振動部２００が、一つの駆動モータ２２０でタイミングベルト２９０を通じて二つの偏心回転体２８０を同時に一体回転させるように作動し、前記二つの偏心回転体２８０は前記一つの駆動モータ２２０により回転駆動され、回転速度が同一になるものと比較して、前記振動発生部１２は、一つのモータ１２１１をタイミングベルトのような回転駆動力伝達手段１２３を通じて一つの偏心回転力発生手段１２２にそれぞれ連結した状態で同時に一体回転させると、回転速度及び／又は楕円振動の強さがそれぞれ異なるように同時に作動する。したがって、振動発生部１２毎にそれぞれ異なって発生する偏心回転力による楕円振動が、互いに組み合わせられながら多様に変化して、当該身体部位に連続回転動作として加えられる。従来、当該身体部位をマッサージするときに発生する回転動作が、単に正方向又は逆方向の単純軌跡を繰り返して描くことによる単調な使用感と単純なマッサージ効果をもたらしたこととは異なり、振動発生部１２は、多様なマッサージ効果及び使用価値を最大限に引き出すことができ、本発明の重要な特徴となる。
【００２５】
ここで、各振動発生部１２は、前記電源供給部１４から前記振動発生部１２に供給される電源を異ならせたり、前記偏心錘１２２４の重量を異ならせたり、前記モータ１２１１自体若しくは前記モータ１２１１を含めた駆動力伝達過程で、各部品間の公差等の特性を用いたりして、回転速度及び／又は楕円振動の強さを異ならせることができる。それに加えて、前記振動発生部１２が同一の方向又は異なる方向に回転することで、多用なマッサージ効果を体感させることができる。
【００２６】
マッサージする身体部位に密着する前記発熱部１３の表面には、陰イオンを発生し、遠赤外線放射率が高く、抗菌及び抗臭効果のある素材がコーティングされた生布が設けられている。さらに、前記発熱部１３は、前記電源供給部１４から電源供給時に熱を発生させ、遠赤外線を放射させるヒータ１３１と、前記ヒータ１３１の熱を外部と遮断する断熱材１３２とを含む。
【００２７】
前記発熱部１３で発生する遠赤外線は、前記振動発生部１２の振動によって、特定の身体部位にさらに効果的に伝達されるようになる。
【００２８】
前記電源供給部１４は、本発明の実施の形態によるマッサージベルト１０を車内でも使用できるように、車両のシガージャックに連結して必要な電源を供給するシガージャック用連結部（不図示）をさらに備えてもよい。この場合には、場所に拘らず、腹部、腰又は大腿部等の身体部位をマッサージすることができる。
【００２９】
前記コントローラ１５には、電源スイッチ、速度調節スイッチ、ヒート調節スイッチ等が設けられ、ユーザがマッサージベルトを身体部位に着用した状態でも自由に動け、かつ、簡易に操作できるようになっており、前記振動発生部１２や前記発熱部１３の動作を正確に制御することができる。
【００３０】
前記ベルト動作表示部１６は、前記ベルトボディ１１の上端部に設けられ、使用中であっても前記振動発生部１２で発生する楕円振動によって、ベルトが動作し、連続的に回転していることを視覚的に直ちに確認することができる。
【００３１】
以下、図１１を参照して、上記のように構成される本発明の実施の形態によるマッサージベルトの作動状態について具体的に説明する。
【００３２】
ユーザは、ベルトボディ１１を腹部等のマッサージを受けようとする特定の身体部位に巻き付け、ベルクロテープ１１１を用いて、振動発生部１２が腹部側に支持されるように締付固定させる。
【００３３】
前記ベルトボディ１１を当該身体部位に巻き付けた状態で、コントローラ１５を操作すると、キー入力値に応じて、電源供給部１４から電源が供給されたモータ１２１１が駆動する。
【００３４】
前記コントローラ１５による電源供給によって前記モータ１２１１が駆動すると、前記モータプーリー１２１３が回転する。前記モータプーリー１２１３と前記偏心錘プーリー１２２５とを連結するタイミングベルトのような前記回転駆動力伝達手段１２３が、前記回転するモータプーリー１２１３の回転駆動力を前記偏心錘プーリー１２２５に伝達する。
【００３５】
これにより、前記偏心錘プーリー１２２５に一体型に結合されて共に回転する前記偏心錘１２２４が、前記連結軸１２２１を中心にして円運動し、遠心力を発生させる。この遠心力は、楕円振動を発生させて、当該身体部位をマッサージするようになる。
【００３６】
本発明の実施の形態では、相互に関連付けられた前記回転駆動手段１２１と前記偏心回転力発生手段１２２を含む二つの振動発生部１２による、回転速度及び／又は楕円振動の強さを異ならせて同時に作動させて発生する振動が、互いに組み合わせられながら多様に変化する回転動作で、特定の身体部位を効率よくマッサージすることを特徴とするもので、正方向又は逆方向の単純な連続的な動きを繰り返す従来のものとは異なり、最適のマッサージ感と効果を提供することができる。
【００３７】
さらに、前記ヒータ１３１と特定の身体部位との対向部分の近くにバイオセラミックを設けることにより、遠赤外線が熱を前記振動発生部１２の振動とともに特定の身体部位に加えながら、温熱機能を提供するようになる。
【００３８】
本発明は、上述した実施の形態に限定されず、特許請求の範囲に記載された発明の範囲内で様々な変更が可能であり、このような変形も、本発明の範囲内に包含される。例えば、本発明の一実施の形態では、振動発生部を前記ベルトボディの前面に一定の間隔をおいて両側に設置するようにしたが、図１２及び図１３に示すように、任意の身体部位をマッサージできるように前記ベルトボディに複数個設置するようにしてもよい。
【図面の簡単な説明】
【００３９】
【図１】従来の按摩ベルトの展開状態を示す図である。
【図２】従来の按摩ベルトにおける振動部を示す正断面図である。
【図３】従来の按摩ベルトにおける振動部を示す平断面図である。
【図４】図１に示した按摩ベルトを特定の身体部位に着用した状態で、振動部が正方向又は逆方向の連続した動作軌跡を示すように作動する過程を示す図である。
【図５】図１に示した按摩ベルトを特定の身体部位に着用した状態で、振動部が正方向又は逆方向の連続した動作軌跡を示すように作動する過程を示す図である。
【図６】本発明の実施の形態に係るマッサージベルトの展開状態を示す図である。
【図７】本発明の実施の形態に係るマッサージベルトの平断面図である。
【図８】本発明の実施の形態に係るマッサージベルトにおける振動発生部の外観を示す図である。
【図９】本発明の実施の形態に係るマッサージベルトにおける振動発生部の正断面図である。
【図１０】本発明の実施の形態に係るマッサージベルトにおける振動発生部の平断面図である。
【図１１】図６のマッサージベルトを特定の身体部位に着用した状態で、それぞれ回転速度及び／又は楕円振動の強さを異ならせて同時に作動しながら、振動発生部で発生する振動が、互いに組み合わせられながら連続した回転動作軌跡を示すように作動する過程を示す図である。
【図１２】本発明の他の実施の形態によるマッサージベルトを身体部位に着用した状態を示す断面図である。
【図１３】本発明の他の実施の形態によるマッサージベルトを身体部位に着用した状態を示す断面図である。
【符号の説明】
【００４０】
１０    マッサージベルト
１１    ベルトボディ
１１１  ベルクロテープ
１１２  振動発生部収容ポケット部
１２    振動発生部
１２１  回転駆動手段
１２１１  モータ
１２１２  温度スイッチ
１２１３  モータプーリー
１２２    偏心回転力発生手段
１２２１  連結軸
１２２２  連結軸ボールベアリング
１２２３  連結軸騒音防止用ゴム
１２２４  偏心錘
１２２５  偏心錘プーリー
１２３    回転駆動力伝達手段
１２４    ハウジング
１２４１  通風孔
１３    発熱部
１３１  ヒータ
１３２  断熱材
１４    電源供給部
１５    コントローラ
１６    ベルト動作表示部
【図１】
2007529290.tif 000003
【図２】
2007529290.tif 000004
【図３】
2007529290.tif 000005
【図４】
2007529290.tif 000006
【図５】
2007529290.tif 000007
【図６】
2007529290.tif 000008
【図７】
2007529290.tif 000009
【図８】
2007529290.tif 000010
【図９】
2007529290.tif 000011
【図１０】
2007529290.tif 000012
【図１１】
2007529290.tif 000013
【図１２】
2007529290.tif 000014
【図１３】
2007529290.tif 000015
【国際調査報告】
2007529290.tif 000016
2007529290.tif 000017